(57)【要約】      （修正有）【課題】トイレットペーパー、ロールペーパー、又はラップフイルム、或いはキッチンペーパーを収容し、トイレットペーパー、ロールペーパー、又はラップフイルム、或いはキッチンペーパーを、片手で、必要とする長さを、かつ他の部位を触ることなく切断できるペーパーホルダ、ペーパーケースを提供する。【解決手段】ペーパーホルダＡのカバー４の空間より引き出されるペーパーをカットするサンドペーパー６を備えたペーパーホルダＡにおいて、サンドペーパー６は引出し方向の幅を広幅構造とし、広幅構造のサンドペーパー６を、ペーパーホルダＡの角に設けた。【選択図】図１−１
2016144619.tif 000002
【特許請求の範囲】
【請求項１】
ペーパーホルダ、ペーパーケースのカバーの空間、又は蓋の開口より引き出されるペーパーをカットするサンドペーパーを備えた構造のペーパーホルダ、ペーパーケースにおいて、  前記サンドペーパーは引出し方向の幅を広幅構造とし、この広幅構造の当該サンドペーパーを、前記ペーパーホルダ、ペーパーケースの角に設けたことを特徴としたペーパーホルダ、ペーパーケース。
【請求項２】
前記広幅構造のサンドペーパーを、前記ペーパーホルダ、ペーパーケースの角に設けるとともに、当該ペーパーホルダ、ペーパーケースの横幅（引出し方向と直交する方向）の略全体に設けることを特徴とした請求項１に記載のペーパーホルダ、ペーパーケース。
【請求項３】
前記広幅構造のサンドペーパーの引出し方向の先端に形成した隆起部と、この隆起部の頂点に、カッターとして役立つ角刃を設けることを特徴とした請求項１に記載のペーパーホルダ、ペーパーケース。
【請求項４】
前記ペーパーホルダのカバーの空間は、このカバーの枢着側と、このペーパーホルダのケースの取付壁部の内面側との間に形成された隙間とすることを特徴とした請求項１に記載のペーパーホルダ、ペーパーケース。
【請求項５】
前記ペーパーホルダ、ペーパーケースのカバーの空間、又は蓋の開口の引出し端部に、防滑用のゴム片、プラスチック片、又はサンドペーパー片、或いはスリット、凹凸でなる防滑材を付設することを特徴とした請求項１に記載のペーパーホルダ、ペーパーケース。  
【請求項６】
前記ペーパーケースは、トイレットペーパー、ロールペーパー、又はラップフイルム、或いはキッチンペーパーを、複数個収容できる構造とし、ケース内に一個の前記トイレットペーパー、前記ロールペーパー、又は前記ラップフイルム、或いは前記キッチンペーパーを固定できるストッパーを設け、前記ペーパーケースの一方端部に、前記サンドペーパーを付設する端部内外に設けた張出し板部を設けることを特徴とした請求項１に記載のペーパーホルダ、ペーパーケース。
【請求項７】
前記ペーパーケースには、トイレットペーパー、ロールペーパー、又はラップフイルム、或いはキッチンペーパーを収容することを特徴とした請求項１に記載のペーパーホルダ、ペーパーケース。  
【発明の詳細な説明】
【技術分野】
【０００１】
本発明は、トイレットペーパー、ロールペーパー、又はラップフイルム、或いはキッチンペーパーを収容し、トイレットペーパー、ロールペーパー、又はラップフイルム、或いはキッチンペーパーを、片手で、必要とする長さを、かつ他の部位を触ることなく切断できるペーパーホルダ、ペーパーケースに関する。従って、残ったトイレットペーパー、ロールペーパー、又はラップフイルム、等を触らず（汚さず）処理可能とし、衛生的な状態を維持しつつ、公共施設における院内感染、庁舎・社内感染、或いは人の往来がある駅・店頭感染等の蔓延防止を図ることを意図する。
【背景技術】
【０００２】
前述した院内感染、庁舎・社内感染等の蔓延防止を図るために、公共施設、人の往来がある場所の玄関、出入口、又は受付、部屋の入口等に薬液が設置されている。この薬液噴霧処置によって、一定の成果が上がっているものと考えられる。しかし、間接的であり、来訪者（人）が薬液噴霧を実行する確率は、低くなっており、十分に機能しているものとは考えられない。  
【０００３】
そこで、特許文献から関連した発明を、列挙すると下記のように成る。  
【０００４】
トイレットペーパーに関しては、必要とするペーパーのみに接触し、他人が接触するペーパーには非接触で、ペーパーがカットできる構造の文献であって、文献（１）〜（３）が挙げられる。その文献（１）は、特開平１０−３２３２９９号公報に記載の発明であって、ペーパーカバーの上に、ペーパーを繰り出し、このカバーの上で、引き出した時点でカットする構造であり、カバーの先端に突起、又はサンドペーパーを設けたことを特徴とする。また、文献（２）は、実用新案登録第３１１６３６７号公報に記載の考案であり、前記文献（１）と同じ構造、及び特徴と見られる。尚、文献（３）は、特開２０１１−２１７７８１号公報に記載の発明であって、特徴（目的）は、文献（１）、文献（２）と同じであるが、構造が異なり、引き出したペーパーを、ホルダー外に設けたサンドペーパーで引きちぎるサンドペーパーを設けたことを特徴とする。  
【０００５】
また、ラップフイルムに関しては、必要とするフイルムのみに接触し、引き出したフイルムをカットできる構造の文献であって、文献（４）に示されているように、上蓋の下端にカッターを設けた構造が公知である。文献（４）は、特開平６−２３９３３８号公報である。  
【０００６】
【特許文献１】特開平１０−３２３２９９号公報
【特許文献２】実用新案登録第３１１６３６７号公報
【特許文献３】特開２０１１−２１７７８１号公報
【特許文献４】特開平６−２３９３３８号公報
【発明の概要】
【発明が解決しようとする課題】
【０００７】
文献（１）〜（３）の如く、カバー、又は外壁の先端にサンドペーパーを設けた構造では、サンドの凹凸を利用して、カットする構造であり、確実で簡易な所作で、カットするには経験を要すると考えられる。そして、最も、危険なことは、カットをスムーズに行えない虞があり、結局は、必要以外のペーパーと接触して（押さえて）、カットすることとなり、所期の目的を達成できないことは明白である。  
【０００８】
尚、文献（４）は、一般のラップフイルム収容紙箱と同様に、上蓋の下端にカッターを設けた構造であり、両手を使用して、カットする構造であり、片手でのカットは困難性がある。
【課題を解決するための手段】
【０００９】
上記に鑑み、本発明では、トイレットペーパー、ロールペーパー、又はラップフイルム、或いはキッチンペーパーを収容し、トイレットペーパー、ロールペーパー、又はラップフイルム、或いはキッチンペーパーを、片手で、必要とする長さを、かつ他の部位を触ることなく切断できるペーパーホルダ、ペーパーケースを提供する。従って、残ったトイレットペーパー、ロールペーパー、又はラップフイルム、等を触らず（汚さず）処理可能とし、衛生的な状態を維持しつつ、公共施設における院内感染、庁舎・社内感染、或いは人の往来がある駅・店頭感染等の蔓延防止が図れる実益がある。
【発明の効果】
【００１０】
本発明の請求項１では、ペーパーホルダ、ペーパーケースのカバーの空間、又は蓋の開口より引き出されるペーパーをカットするサンドペーパーを備えた構造のペーパーホルダ、ペーパーケースにおいて、  サンドペーパーは引出し方向の幅を広幅構造とし、広幅構造のサンドペーパーを、ペーパーホルダ、ペーパーケースの角に設けたペーパーホルダ、ペーパーケースであり、前述の如く、トイレットペーパー、ロールペーパー等を収容し、トイレットペーパー、ロールペーパー等を、片手で、必要とする長さを、かつ他の部位を触ることなく切断できる特徴と、残ったトイレットペーパー、ロールペーパー、又はラップフイルム、等を触らず（汚さず）処理可能とし、衛生的な状態を維持しつつ、公共施設における院内感染、庁舎・社内感染、或いは人の往来がある駅・店頭感染等の蔓延防止が図れる実益と、がある。  
【００１１】
本発明の請求項２では、広幅構造のサンドペーパーを、ペーパーホルダ、ペーパーケースの角に設けるとともに、ペーパーホルダ、ペーパーケースの横幅（引出し方向と直交する方向）の略全体に設けるペーパーホルダ、ペーパーケースであり、請求項１の特徴と実益とを達成できることと、この特徴と実益とを達成するために、最適なサンドペーパーの構造を提供できる。  
【００１２】
本発明の請求項３では、広幅構造のサンドペーパーの引出し方向の先端に形成した隆起部と、隆起部の頂点に、カッターとして役立つ角刃を設けるペーパーホルダ、ペーパーケースであり、請求項１の特徴と実益とを達成できることと、この特徴と実益とを達成するために、サンドペーパーの隆起部と角刃との構造を提供できる。  
【００１３】
本発明の請求項４では、ペーパーホルダのカバーの空間は、カバーの枢着側と、ペーパーホルダのケースの取付壁部の内面側との間に形成された隙間とするペーパーホルダ、ペーパーケースであり、請求項１の特徴と実益とを達成できることと、この特徴と実益とを達成するために、最適なペーパーホルダのカバーの空間の構造を提供できる。  
【００１４】
本発明の請求項５では、ペーパーホルダ、ペーパーケースのカバーの空間、又は蓋の開口の引出し端部に、防滑用のゴム片、プラスチック片、又はサンドペーパー片、或いはスリット、凹凸でなる防滑材を付設するペーパーホルダ、ペーパーケースであり、請求項１の特徴と実益とを達成できることと、この特徴と実益とを達成するために、最適なトイレットペーパー、ロールペーパー等用の防滑材の構造を提供できる。  
【００１５】
本発明の請求項６では、ペーパーケースは、トイレットペーパー、ロールペーパー、又はラップフイルム、或いはキッチンペーパーを、複数個収容できる構造とし、ケース内に一個のトイレットペーパー、ロールペーパー、又はラップフイルム、或いはキッチンペーパーを固定できるストッパーを設け、ペーパーケースの一方端部に、サンドペーパーを付設する端部内外に設けた張出し板部を設けるペーパーホルダ、ペーパーケースであり、請求項１の特徴と実益とを達成できることと、この特徴と実益とを達成するために、最適で、かつ汎用性があるペーパーケースの構造を提供できる。
【００１６】
本発明の請求項６では、ペーパーケースには、トイレットペーパー、ロールペーパー、又はラップフイルム、或いはキッチンペーパーを収容するペーパーホルダ、ペーパーケースであり、請求項１の特徴と実益とを達成できることと、この特徴と実益とを達成するために、最適なペーパーホルダ、ペーパーケースを提供できる。
【図面の簡単な説明】
【００１７】
【図１−１】取付け式ペーパーホルダの姿図
【図１−２】ペーパーホルダよりトイレットペーパーを引き出した状態の模式図
【図１−３】ペーパーホルダにおいてトイレットペーパーをカットする状態の模式図
【図１−４】図１−３の要部の拡大断面模式図
【図１−５】図１−１に示したペーパーホルダの防滑ゴム等の防滑材を設けた一例を示した要部の拡大断面模式図
【図２−１】他の取付け式ペーパーホルダの姿図
【図２−２】ペーパーホルダよりトイレットペーパーを引き出した状態の展開模式図
【図３−１】持運び式ロールペーパーケース（ペーパーケース）の姿図
【図３−２】ペーパーケースよりロールペーパーを引き出した状態の展開模式図
【図４−１】キッチンペーパーケース（ペーパーケース）の姿図
【図４−２】ペーパーケースよりキッチンペーパーを引き出した状態の展開模式図
【図５−１】他のペーパーケースの姿図（俯瞰図）
【図５−２】ペーパーケースよりキッチンペーパーを引き出した状態の一部欠截の展開模式図
【図６−１】サンドペーパーの第一例でフラットとした拡大斜視図
【図６−２】サンドペーパーの第二例で上向き折曲げとした拡大斜視図
【図６−３】サンドペーパーの第三例で下向き折曲げとした拡大斜視図
【図６−４】サンドペーパーの第四例で環状とした拡大斜視図
【図６−５】サンドペーパーの第五例で三角ベースを利用した角部とした拡大斜視図
【図７−１】サンドペーパーの他の第一例で凹凸形状の切刃とした拡大斜視図
【図７−２】サンドペーパーの他の第二例で凹凸条の突刃とした拡大斜視図
【図７−３】サンドペーパーの他の第三例でかみそり刃とした拡大斜視図
【発明を実施するための形態】
【００１８】
図１−１〜図１−５は、壁、建物等の固定物（図示せず）に取付けてなる取付け式ペーパーホルダＡの一例を示しており、壁面取付け板１と、この取付け板１の両端部より突出した（図において、横方向に突出した）保持板２、２（側板）と、この保持板２、２（対の例では、一つの符号を示す）の基端（壁面方向）で、かつ保持板２の上部（部屋の天井方向）間に差渡したカバー回転軸３と、この回転軸３に基端側を枢着したカバー４とで構成する。そして、トイレットペーパーＸは、保持板２の自由端で、かつ保持板２の下部（部屋の床方向）間に差渡した支持杆５（可動式支持突部、差込み管等）に支持、かつ回転自在に支持（架承）されている。
【００１９】
カバー４の上面４ａで、かつ引き出し方向の先部４ｂか、又は先部角部４ｂ１には、サンドペーパー６（紙・樹脂・金属製のカッターとか、紙・樹脂・金属製の刃、又は図示しないが、その他の切断手段を含む）を、着脱自在に設ける（図２−１〜図２−２に示したペーパーホルダ類）。或いは、後述するペーパーケース４０の一方端部４０ａで、かつ引き出し方向の先部４０ｃ（角）か、又は先部角部４０ｃ１（角）には、サンドペーパー６を設ける（図５−１〜図５−３に示したペーパーケース類）。着脱自在は、サンドペーパー６の破損、又は色の変更、不使用等の各人の希望を達成するためである（以下、同じ）。尚、カバー４の枢着端部に、防滑ゴム、凹凸、凹凸群、スリット等でなる防滑材１１を設けることも有効であり、この防滑材１１は、サンドペーパー６でも代替できる。
【００２０】
尚、サンドペーパー６は、図６−１〜６−５に示した構造と、図７−１〜７−３に示した構造とが一例として挙げられるが、一例であり、本発明の目的であるトイレットペーパーＸを引き出した後に、下向き等の力をかけた時に切断できる構造であれば、説明とか図示の各実施例に限定されず、その他の構造も採用できる。
【００２１】
先ず、図６−１〜６−５に示したサンドペーパー６は、例えば、何人も安心して使用できる水性塗料で着色した構造とする。この色は、カバー４との色合わせとか、又は各人の好みに合わせるようにして、適宜、選択する。図６−１の第一例のサンドペーパー６は、フラットな形状であり、汎用性と利便性とを備えている。また、図６−２の第二例のサンドペーパー６は、断面視して（以下同じ）、上向きに折曲げた形状であり、確実なカットが図れる。図６−３の第三例のサンドペーパー６は、下向きに折曲げた形状であり、僅かな力で、かつワンタッチでのカットが図れる。図６−４の第四例のサンドペーパー６は、環状とした形状であり、図６−３と同じ特徴を備える。さらに、図６−５の第五例のサンドペーパー６は、三角ベースの当板を利用した角形形状であり、図６−３と同じ特徴を備える。各実施例において、サンドペーパー６は、トイレットペーパーＸの巻き方向に、例えば、１〜３ｃｍ程度の幅を有し（広幅とした）、かつこのトイレットペーパーＸの幅方向と、略同じ長さを備える（他の実施例も同じ）。
【００２２】
次に、図７−１〜図７−３は、サンドペーパー６の代替構造であり、従来のカッター手段として利用されている構造であり、例えば、紙製とか、樹脂製、金属製でなる構造とする。
【００２３】
図７−１は、第一例のサンドペーパー６の代替構造で、凹凸形状でなる切刃とした形状であり、前述の図６−３と同じように、僅かな力で、かつワンタッチでのカットが図れる。図７−２は、第二例のサンドペーパー６の代替構造であり、凹凸条の突刃とした形状であって、前述の図６−２と同じように、確実なカットが図れる。また、図７−３は、第三例のサンドペーパー６の代替構造であり、かみそり刃とした形状であって、前述の図５−３と同じように、僅かな力で、かつワンタッチでのカットが図れる。
【００２４】
図３−１、図３−２は、室内の適所とか、机等の家具等に設置するとともに、持運びができる箱形であるロールペーパーケース２０（ペーパーケース）の一例を示しており、この一例では、一枚形状の蓋２２により開閉される構造である。蓋２２には、開口１０が開設されており、この開口１０の引出し端部１０ａには、その幅方向の略全体に亙って、防滑用のゴム片、プラスチック片、又はサンドペーパー片、或いはスリット、凹凸でなる防滑材１１が、着脱自在に付設される。そして、この一例では、蓋２２の開閉側２２ｂ（角部２２ｂ１）には、前述の各例のサンドペーパー６を設ける。この一例では、角部２２ｂ１に、サンドペーパー６を設けることで、図６−１に示したフラットな第一例のサンドペーパー６においても、僅かな力で、かつワンタッチでのカットが図れる。尚、開閉側２２ｂに第一例のサンドペーパー６を設けたが、反対側等に取付けることも可能である。図中１２は止め具、１３は取手を示す。また、２１はロールペーパーケース２０のケース本体である。その他は、前述の各実施例に準ずる。
【００２５】
図４−１、図４−２は、台所とか、各種テーブル等の食事関連の器材に設置するとともに、持運びができる箱形であるキッチンペーパーケース３０（ペーパーケース）の一例を示しており、この一例では、半截形の天板形の蓋３２であり、それぞれ開閉される構造である。蓋３２は、内部の保護・隠蔽と衛生面等を考慮して設けられる。蓋３２の対峙側には、開口１０が形成されており、この開口１０の両方、又は片方の引出し端部１０ａには、その幅方向の略全体に亙って、防滑用のゴム片、プラスチック片、又はサンドペーパー片、或いはスリット、凹凸でなる防滑材１１が、着脱自在に、それぞれ付設される。そして、この一例では、各蓋３２の枢着側３２ｂ（角部３２ｂ１）には、前述の各例のサンドペーパー６を設ける。この一例では、角部３２ｂ１に、サンドペーパー６を設けることで、図６−１に示したフラットな第一例のサンドペーパー６においても、僅かな力で、かつワンタッチでのカットが図れる。尚、枢着側３２ｂに第一例のサンドペーパー６を設けたが、反対側の蓋３２の枢着側等に取付けることも可能である。図中３１はキッチンペーパーケースＣのケース本体である。その他は、前述の各実施例に準ずる。
【００２６】
図５−１、図５−２は、トイレ（障害者）、病院、ベッド、又は各種テーブル等の食事関連の器材等の各所に設置できる。複数個のトイレットペーパーＸ、又はロールペーパーＹ等を収容できる持運び可能な籠形（バスケット形）であるペーパーケース４０の一例を示しており、この一例では、両端部（一方端部４０ａと他方端部４０ｂ）に取手４１、４１をそれぞれ設ける。この取手４１と、一方端部４０ａとの間に、板材４２を設ける。この板材４２の引き出し方向の基側に防滑材１１を、引き出し方向の先部４０ｃか、又は先部角部４０ｃ１にサンドペーパー６を設けるとともに、サンドペーパー６は、板部４２の短手方向（トイレットペーパーＸの巻き方向）には、例えば、１〜３ｃｍ程度の幅を有し（広幅とした）、かつ板部４２の長手方向（トイレットペーパーＸの幅方向）には、トイレットペーパーＸの幅方向と、略同じ長さを備える。そして、この一例では、角部４０ｃ１に、サンドペーパー６を設けることで、図６−１に示したフラットな第一例のサンドペーパー６においても、僅かな力で、かつワンタッチでのカットが図れる。図中４３は、一方端部４０ａとの間で、トイレットペーパーＸ、又はロールペーパーＹ等を支持（回転自在に支持）する山形形状のストッパーであって、底部４０ｄに固定されている。しかし、図示しないが、底部４０ｄに移動可能として、各種巻き寸法のトイレットペーパーＸ、又はロールペーパーＹ等を支持可能とすることもできる。その他は、前述の各実施例に準ずる。尚、この一例では、蓋に関する図示は無いが、蓋は、内部の保護・隠蔽と衛生面等を考慮して付設することも有り得る。
【００２７】
以上の構造のペーパーホルダＡにおいて、支持杆５に支持したトイレットペーパーＸを取り出す（引き出す）には、取付け板１の開放側とトイレットペーパーＸの壁側とで形成される空間Ｑ（隙間）より引き出し、カバー４の上面４ａに導く。そして、必要とする長さＸ１を引き出し、切断用のミシン目が、サンドペーパー６を通り越したことを確認し、トイレットペーパーＸを下向きに引き下げると、トイレットペーパーＸは、防滑材１１の働きと、サンドペーパート６のサンド、及びその基部（紙面）との凹凸、及び摩擦との相乗効果（摩擦抵抗）により、切り離される。従って、切り離しミスも少なく、誰でも簡易に切り離しできる。また、必要とする長さＸ１のみを触ることとなり、衛生的であり、かつ感染防止に有効である。また、カバー４の枢着端部に、防滑材１１等を設けることも、容易な切り離し、余分の引き出し防止（定寸の引き出し確保）に有効である。そして、本発明では、トイレットペーパーＸの端部の隙間Ｑへの容易な差込みを図ることを意図して、指を差し入れできる切欠き溝と孔とを連設した、鍵形孔等の開口７を設けて、トイレットペーパーＸを指先等の先端部で引き出しできる構造が利便性を備える利点がある。例えば、図２−１と図２−２に示した構造である。
【００２８】
また、以上の持運びができる箱形であるロールペーパーケース２０において、ケース本体２１に収容したロールペーパーＹを取り出す（引き出す）には、ケース本体２１に枢着した蓋２２に形成した開口１０より引き出し、蓋２２の上面２２ａに導く。そして、必要とする長さＹ１を引き出し、切断用のミシン目が、サンドペーパー６を通り越したことを確認し、ロールペーパーＹを下向きに引き下げると、ロールペーパーＹは、防滑材１１の働きと、サンドペーパート６のサンド、及びその基部（紙面）との凹凸、及び摩擦との相乗効果（摩擦抵抗）により、切り離される。従って、切り離しミスも少なく、誰でも簡易に切り離しできる。また、必要とする長さＹ１のみを触ることとなり、衛生的であり、かつ感染防止に有効である。また、蓋２２の開口１０に添って、防滑材１１等を設けることも、容易な切り離し、余分の引き出し防止（定寸の引き出し確保）に有効である。
【００２９】
さらに、以上の持運びができる箱形であるキッチンペーパーケース３０において、ケース本体３１に収容したキッチンペーパーＺを取り出す（引き出す）には、蓋３２に形成した開口１０より引き出し、蓋３２の上面３２ａに導く。そして、必要とする長さＺ１を引き出し、切断用のミシン目が、サンドペーパー６を通り越したことを確認し、キッチンペーパーＺを下向きに引き下げると、キッチンペーパーＺは、防滑材１１の働きと、サンドペーパー６のサンド、及びその基部（紙面）の凹凸、及び摩擦との相乗効果（摩擦抵抗）により、切り離される。従って、切り離しミスも少なく、誰でも簡易に切り離しできる。また、必要とする長さＺ１のみを触ることとなり、衛生的であり、かつ感染防止に有効である。また、蓋３２の開口１０に添って、防滑材１１等を設けることも、容易な切り離し、余分の引き出し防止（定寸の引き出し確保）に有効である。
【００３０】
尚、バスケット形であるペーパーケース４０において、ケースの開口部４００より内部に収容したトイレットペーパーＸ、又はロールペーパーＹ等を取り出す（引き出す）には、ストッパー４３と一方端部４０ａとの間に設け、支持した、例えば、トイレットペーパーＸの引き出し側を把持し、必要とする長さＺ１を引き出し、切断用のミシン目が、サンドペーパー６を通り越したことを確認し、トイレットペーパーＸを下向きに引き下げると、トイレットペーパーＸは、防滑材１１の働きと、サンドペーパー６のサンド、及びその基部（紙面）との凹凸、及び摩擦との相乗効果（摩擦抵抗）により、切り離される。その他の所作と効果は、前述の各例に準ずる。
【００３１】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３２】
１  取付け板
２  保持板
３  回転軸
４  カバー
４ａ  上面
４ｂ  先部
４ｂ１  先部角部
５  支持杆
６  サンドペーパー
７  開口
１０  開口
１０ａ  引出し端部
１１  防滑材
１２  止め具
１３  取手
Ｑ  隙間
Ａ  ペーパーホルダ
Ｘ  トイレットペーパー
Ｘ１  必要とする長さ
２０  ロールペーパーケース
２１  ケース本体
２２  蓋
２２ａ  上面
２２ｂ  開閉側
２２ｂ１  角部
Ｙ  ロールペーパー
Ｙ１  必要とする長さ
３０  キッチンペーパーケース
３１  ケース本体
３２  蓋
３２ａ  上面
３２ｂ  枢着側
３２ｂ１  角部
Ｚ  キッチンペーパー
Ｚ１  必要とする長さ
４０  ペーパーケース
４０ａ  一方端部
４０ｂ  他方端部
４０ｃ  先部
４０ｃ１  先部角部
４０ｄ  底部
４００  開口部
４１  取手
４２  板部
４３  ストッパー
【図１−１】
2016144619.tif 000003
【図１−２】
2016144619.tif 000004
【図１−３】
2016144619.tif 000005
【図１−４】
2016144619.tif 000006
【図１−５】
2016144619.tif 000007
【図２−１】
2016144619.tif 000008
【図２−２】
2016144619.tif 000009
【図３−１】
2016144619.tif 000010
【図３−２】
2016144619.tif 000011
【図４−１】
2016144619.tif 000012
【図４−２】
2016144619.tif 000013
【図５−１】
2016144619.tif 000014
【図５−２】
2016144619.tif 000015
【図６−１】
2016144619.tif 000016
【図６−２】
2016144619.tif 000017
【図６−３】
2016144619.tif 000018
【図６−４】
2016144619.tif 000019
【図６−５】
2016144619.tif 000020
【図７−１】
2016144619.tif 000021
【図７−２】
2016144619.tif 000022
【図７−３】
2016144619.tif 000023